(57)【特許請求の範囲】
【請求項１】
家具部（５）に可動式に取り付けられる取付金具であって、
該家具部（５）の表面に設置される取付金具体（１）と、
該取付金具体（１）に係留され、突出部（７）を有した拡張スリーブ（３）であって、家具部（５）の穴（１１）に挿入される形状である拡張スリーブ（３）と、
該拡張スリーブ（３）に挿入される拡張部（２）であって、前記取付金具体（１）の開口部を貫通して突出する拡張部（２）と、
前記取付金具体（１）から延び出し、家具部（５）の前記穴（１１）内に突出する形状での支持カラー（４）であって、前記取付金具体（１）に接続された基端部を有しており、該基端部の反対側には先端部を有しており、該基端部から該先端部に向かって自身の軸線方向に延びる溝部（６）をさらに有している支持カラー（４）と、
を含んで成り、前記溝部（６）は前記拡張スリーブ（３）の突出部（７）を受領する形状を有していることを特徴とする取付金具。
【請求項２】
支持カラー部（４）は直径方向で反対側に配置されている２つの溝部（６）を有していることを特徴とする請求項１記載の取付金具。
【請求項３】
突出部（７）は拡張スリーブ（３）のカラー領域（１２）上に横方向に配置されており、該カラー領域（１２）は該拡張スリーブ（３）の隣接グリップ領域よりも小さな直径を有していることを特徴とする請求項１記載の取付金具。
【請求項４】
拡張スリーブ（３）は取付金具体（１）の凹部（１５）内に受領される半径方向に延び出る縁部（８）を有していることを特徴とする請求項１記載の取付金具。
【請求項５】
溝部（６）は支持カラー（４）の全高にわたって軸線方向に延びていることを特徴とする請求項１記載の取付金具。
【請求項６】
拡張スリーブ（３）は支持カラー（４）の軸線方向に延びる２つの突出部（７、１７）を含んでおり、それぞれの突出部（７、１７）は該支持カラー（４）の溝部（６）内に突出していることを特徴とする請求項１記載の取付金具。
【請求項７】
複数の腕状体（１０）が突出部（７、１７）の先端部で取付金具体（１）に対して斜めに延び出ており、該腕状体（１０）のそれぞれは取付金具体（１）に係留されていることを特徴とする請求項６記載の取付金具。
【発明の詳細な説明】
【０００１】
【発明の属する技術分野】
本発明は、家具部に係接する、好ましくは平板状の取付金具体と、家具部の穴の中に挿入可能である取付金具体に固定された拡張スリーブと、取付金具体の開口部を通して突出する拡張スリーブのためのピン状の拡張部とを備えた、家具部に着脱可能に固定するための取付金具に関する。
【０００２】
【従来の技術】
オーストリア特許公報ＡＴ−ＰＳ３２６５２２から、家具部の凹部の中に収用された支持スリーブを有する蝶番用の基板が知られている。この基板は、ねじを用いて家具部に固定されている。
【０００３】
【発明が解決しようとする課題】
本発明の課題は、ダボ状の拡張スリーブを用いて家具部に固定する冒頭に述べた形式の取付金具において家具部への固定を改善することである。
【０００４】
【課題を解決するための手段】
本発明に係わる課題は、取付金具体に少なくとも１つの自体公知の突出する支持カラーが形成されており、これが組立状態で対応する家具部の凹部の中に突出し、その中に拡張スリーブが挿入されており、支持カラーが拡張スリーブに形成された突出部が突出する少なくとも１つの溝部を有することによって解決される。
【０００５】
好ましくは、支持カラーの中に２つの互いに正反対の溝部が形成されることを考慮している。
【０００６】
本発明の一実施例は、突出部もしくは突出部群が拡張スリーブの係接する部分より小さい直径を有する拡張スリーブのカラー領域に側方から形成されていることを考慮する。
【０００７】
本発明のもう１つの実施例に従って、少なくとも１つの溝部が支持カラーの全高にわたって延び、支持カラーの２つの溝部の中に突出する拡張スリーブに２つの軸線方向の突出部が形成されていることを考慮している。
【０００８】
好ましくは、この突出部に取付金具体に対して斜めに離間する、取付金具体に鋲止めされている２つの腕状体が成形されている。
【０００９】
【発明の実施の形態】
以下、本発明の様々な実施例を添付の図面の図を利用して説明する。
【００１０】
図示した実施例において、本発明に係わる取付金具は、例えば蝶番腕状体用の基板として形成してよい平板状の取付金具体１と、拡張スリーブ３と、ねじ状の拡張部２とからなる。
【００１１】
図１〜図１０記載の実施例において拡張スリーブ３はプラスチックから、図１１〜図２２記載の実施例においては熱処理鋼または硬化鋼から製造されている。
【００１２】
金属製拡張スリーブ３は、好ましくはリン酸塩被膜層を具備している。金属製拡張スリーブ３の肉厚は、この場合１ｍｍ以下にしてよく、好ましくは０．７〜０．８ｍｍの間の強度に維持してよい。両方の場合において拡張部２は同様に熱処理鋼または硬化鋼から製造してよい。
【００１３】
取付金具体１は、その家具部５の対向側に突出する支持カラー４を具備しており、これは組立状態で拡張スリーブ３を収用する家具部５の穴１１の中に突出する。
【００１４】
拡張スリーブ３は、２つの互いに正反対の溝部６を有し、この中に組立てた取付金具で拡張スリーブ３の突出部７；１７が形状嵌合式に収用されている。
【００１５】
プラスチックからなる拡張スリーブ３の突出部７は、それに続く保持リブ１３を具備した拡張スリーブ３の領域より小さい直径を有する拡張スリーブ３の領域の横にある。
【００１６】
この領域１２は、拡張スリーブ３の釣掛を取付金具体１の中で容易にする細溝１４を有する。
【００１７】
その自由端に、領域１２もしくは拡張スリーブ３が半径方向に突出する縁部８を具備しており、これが組立状態で取付金具体１の凹部１５の中に収用されている。
【００１８】
本発明に係わる取付金具は、図５および図６に示したように、組立て状態で納入される。取付金具体１が家具部５に載置されるとき、拡張スリーブ３および拡張部２を取囲む取付金具体１の厚い領域は、家具側壁５に対して間隔９をあけている。
【００１９】
ねじ状の拡張部２が、図９および図１０に示したように、さらに拡張スリーブ９の中にねじ止めされるとき、取付金具体１は直接家具部５に押圧される。そのため取付金具体１は予応力で家具部５に保持されている。
【００２０】
ねじ状の拡張部３の固定を可能にするために、拡張部３がその頭側端部に十字形ドライバを収用するための収用部１６を具備している。
【００２１】
図１１〜図２２記載の実施例において、拡張スリーブ３は鋼製スリーブとして形成されている。取付金具体１は支持カラー４を有し、これがさらに２つの正反対の溝部６を具備している。
【００２２】
上記実施例において、溝部６は貫通して形成されている。つまり、前記溝部は支持カラー４の全高にわたって延びる。
【００２３】
拡張スリーブ３は、その取付金具体１の対向端部に２つの軸線方向に離間する突出部１７を有し、これが、例えば図１３から明らかなように、組立状態で溝部６の中に突出し、その中に充分に収用されている。
【００２４】
突出部１７の自由端には、取付金具体１に対して斜めに離間する垂下部１０が形成されている。
【００２５】
組立状態で、この垂下部１０は取付金具体１の溝１８の中に収用されており、取付金具体１に鋲１９を用いて固定されている。
【００２６】
斜めに離間する垂下部１０は弾性的であるため、取付金具体１は緊張する前に、つまり拡張部２を固定する前に、図１８から明らかなように、再び家具部５から間隔９を空けて保持される。拡張スリーブ３の雌ねじ２１の中に係合する雄ねじ２０を具備した拡張部２の引締めによって、取付金具体が直接家具部５に接触して押圧される。この状態は図２２から明らかである。
【００２７】
取付金具体１のたわみを可能にするために、前記取付金具体は縁部を具備している。取付金具体１は金属、好ましくは鋼から、およびプラスチック材から製造してよい。
【図面の簡単な説明】
【図１】  概観図および展開図による本発明に係わる取付金具の実施例である。
【図２】  概観図による上から見た取付金具である。
【図３】  概観図による下から見た取付金具である。
【図４】  本発明に係わる取付金具の平面図である。
【図５】  図４の線Ａ−Ａの断面図である。
【図６】  図４の線Ｂ−Ｂの断面図である。
【図７】  図５の部分Ａである。
【図８】  図６の部分Ａである。
【図９】  完全にねじ止めした拡張部における本発明に係わる取付金具の断面図である。
【図１０】図９の部分Ａである。
【図１１】概観図および展開図による本発明に係わる取付金具のもう１つの実施例である。
【図１２】概観図による上から見た取付金具である。
【図１３】概観図による下から見た取付金具である。
【図１４】本発明に係わる取付金具の平面図である。
【図１５】図１４の線Ａ−Ａの断面図である。
【図１６】図１４の線Ｂ−Ｂの断面図である。
【図１７】図１５の部分Ａである。
【図１８】図１６の部分Ａである。
【図１９】完全に家具部にねじ止めされた拡張部における図１４の線Ａ−Ａの断面図である。
【図２０】完全にねじ止めされた拡張部における図１４の線Ｂ−Ｂの断面図である。
【図２１】図１９の部分Ａである。
【図２２】図２０の部分Ａである。
【図１】
0004392546.tif 000002
【図２】
0004392546.tif 000003
【図３】
0004392546.tif 000004
【図４】
0004392546.tif 000005
【図５】
0004392546.tif 000006
【図６】
0004392546.tif 000007
【図７】
0004392546.tif 000008
【図８】
0004392546.tif 000009
【図９】
0004392546.tif 000010
【図１０】
0004392546.tif 000011
【図１１】
0004392546.tif 000012
【図１２】
0004392546.tif 000013
【図１３】
0004392546.tif 000014
【図１４】
0004392546.tif 000015
【図１５】
0004392546.tif 000016
【図１６】
0004392546.tif 000017
【図１７】
0004392546.tif 000018
【図１８】
0004392546.tif 000019
【図１９】
0004392546.tif 000020
【図２０】
0004392546.tif 000021
【図２１】
0004392546.tif 000022
【図２２】
0004392546.tif 000023